(57)【要約】【課題】気密検査完了後における水の漏れ出しを防止することができる熱源機用継手の提供。【解決手段】熱源機用継手ＨＤ１，ＨＤ２であって、熱源機側接続部３３、熱媒通流管２０，２１が接続される端末側接続部３５，３７、および、検査用流体の供給管４５が接続される検査用接続部３９が互いに連通するように設けられ、熱源機側接続部３３と端末側接続部３５，３７との連通を遮断する検査状態と、遮断を解除して熱源機側接続部３３と端末側接続部３５，３７とを連通させる熱媒通流状態とにスライドで切換え自在な切替弁４６が設けられ、検査用接続部３９に、供給管４５から供給される検査用流体の通流を許容するとともにその通流方向とは逆方向の通流を阻止する逆止弁４３が設けられている。【選択図】図３
2008008615.tif 000002
【特許請求の範囲】
【請求項１】
端末器に循環供給する熱媒の戻り口から熱媒加熱手段を経由して熱媒の吐出口に至る熱媒通路を備えた熱源機における前記戻り口又は吐出口に接続される熱源機用継手であって、
前記戻り口又は前記吐出口に接続する熱源機側接続部、端末器側の熱媒通流管が接続される端末側接続部、および、検査用流体の供給管が接続される検査用接続部が互いに連通するように設けられ、
前記熱源機側接続部と前記端末側接続部との連通を遮断する検査状態と、その遮断を解除して前記熱源機側接続部と前記端末側接続部とを連通させる熱媒通流状態とにスライドにより切換え操作自在な切替弁が設けられ、
前記検査用接続部に、前記供給管から供給される検査用流体の通流を許容するとともにその通流方向とは逆方向の通流を阻止する逆止弁が設けられている熱源機用継手。
【請求項２】
前記切替弁が前記検査状態に対応する位置にあるときに、前記切替弁の操作部を前記スライド方向に沿う軸心周りに回動操作することによって、前記切替弁側に設けられた被係止部が、継手本体側に設けられた係止部に係合して前記検査状態にある切替弁の前記熱媒通流状態側へのスライドが阻止される検査側係合状態と、前記切替弁の前記熱媒通流状態側へのスライドが許容される係合解除状態とに切換え自在に構成されている請求項１に記載の熱源機用継手。
【発明の詳細な説明】
【技術分野】
【０００１】
本発明は、端末器に循環供給する熱媒の戻り口から熱媒加熱手段を経由して熱媒の吐出口に至る熱媒通路を備えた熱源機における前記戻り口又は吐出口に接続される熱源機用継手に関する。
【背景技術】
【０００２】
このような熱源機用継手としては、例えば、温水を利用した暖房システムにおいて、熱源機である給湯装置から供給される熱媒としての湯水を複数に分流して、端末器である複数の暖房装置へ供給するための供給ヘッダや、複数の暖房装置からの湯水を合流して給湯装置へ戻すための戻りヘッダなどがある。
そして、この種の暖房システムなどでは、施工完了後などにおいて、端末器である暖房装置側に対する気密検査を行う必要がある。
【０００３】
そこで、従来、熱源機からの吐出口又は熱源機への戻り口に接続される供給ヘッダ又は戻りヘッダにおいて、熱源機側接続部と端末器側の熱媒通流管が接続される複数の端末側接続部との間に、熱源機側接続部と端末側接続部とを連通する熱媒通流状態と、熱源機側接続部と端末側接続部との連通を遮断する検査状態とに切換え操作する切替弁を設け、その切替弁を検査状態に切換えて、複数ある端末側接続部のひとつを検査用接続部として使用し、その検査用接続部に接続した供給管から検査用流体を供給して端末器側を加圧して気密検査を行うように構成されていた。
そして、従来では、切替弁側に雄ねじを、切替弁を保持するヘッダ本体側に雌ねじを設けて、その雌ねじに切替弁側の雄ねじを螺合させ、切替弁に連設された操作部を回転操作して切替弁側の雄ねじを螺合方向に回転させることにより、切替弁を前記検査状態に、操作部を逆方向に回転操作することにより、切替弁を前記熱媒通流状態に切換えるように構成されていた。
【発明の開示】
【発明が解決しようとする課題】
【０００４】
したがって、上述した従来構造のものでは、切替弁を熱媒通流状態から検査状態へ切換える際、逆に、検査状態から熱媒通流状態へ切換える際に、切替弁の操作部を何回も回転操作する必要があり、切替弁の切換え操作が煩雑で、切換え作業に時間を要するという欠点があった。
【０００５】
本発明は、このような従来の問題点を解消するもので、その目的は、切替弁の切換え操作を簡単に、かつ、短時間で確実に行うことのできる熱源機用継手の提供にある。
【課題を解決するための手段】
【０００６】
この目的を達成するため、請求項１に記載の発明によれば、端末器に循環供給する熱媒の戻り口から熱媒加熱手段を経由して熱媒の吐出口に至る熱媒通路を備えた熱源機における前記戻り口又は吐出口に接続される熱源機用継手であって、前記戻り口又は前記吐出口に接続する熱源機側接続部、端末器側の熱媒通流管が接続される端末側接続部、および、検査用流体の供給管が接続される検査用接続部が互いに連通するように設けられ、前記熱源機側接続部と前記端末側接続部との連通を遮断する検査状態と、その遮断を解除して前記熱源機側接続部と前記端末側接続部とを連通させる熱媒通流状態とにスライドにより切換え操作自在な切替弁が設けられ、前記切替弁が前記検査状態に対応する位置にあるときに、前記切替弁の操作部を前記スライド方向に沿う軸心周りに回動操作することによって、前記切替弁側に設けられた被係止部が、継手本体側に設けられた係止部に係合して前記検査状態にある切替弁の前記熱媒通流状態側へのスライドが阻止される検査側係合状態と、前記切替弁の前記熱媒通流状態側へのスライドが許容される係合解除状態とに切換え自在に構成されている。
【０００７】
すなわち、前記切替弁を熱媒通流状態に切換え操作することによって、熱源機における吐出口から吐出される熱媒を熱源機側接続部と端末側接続部を介して端末器に供給したり、端末器からの熱媒を端末側接続部と熱源機側接続部を介して戻り口から熱源機へ戻すことができる。
更に、その切替弁を検査状態に切換え操作することによって、熱源機側接続部と端末側接続部との連通を遮断した状態で、検査用接続部と端末側接続部とを連通させて、検査用接続部からの検査用流体を端末側接続部を介して熱媒通流管や端末器に供給して加圧し、端末器側の気密検査を行うことができる。
【０００８】
そして、前記切替弁は、その操作部をスライド操作することによって熱媒通流状態と検査状態とに切換えられるので、上述した従来構造のものと比較して、切替弁の切換え操作を簡単に行うことができ、かつ、検査状態への切換えについては、前記操作部をスライド方向に沿う軸心周りに回動操作することにより、切替弁側に設けられた被係止部が、継手本体側に設けられた係止部に係合して検査状態にある切替弁の熱媒通流状態側へのスライドが阻止される検査側係合状態に切換えられるので、操作部を回動するだけの簡単な操作で前記切替弁を確実に検査状態に保持することができ、切替弁の切換え操作を短時間で確実に行うことができる。
【０００９】
請求項２に記載の発明によれば、前記被係止部または係止部が、前記切替弁が前記検査状態に対応する位置にあるときの前記操作部の回動操作に伴って、前記切替弁を前記検査状態側にスライド移動させながら前記検査側係合状態に切換える検査側傾斜案内部を備えて構成されている。
【００１０】
すなわち、操作部の回動操作によって前記検査側係合状態に切換える際、検査側傾斜案内部により切替弁が検査状態側にスライド移動される。つまり、検査側係合状態に切換える際、前記切替弁は、回動しながらスライド移動することになる。
したがって、操作部の回動操作によって、逆に、検査側係合状態から係合解除状態に切換える際にも、前記切替弁は、回動しながらスライド移動することになり、たとえ切替弁の弁体が弁座に強力に押し付けられて、弁体が弁座から離れ難いような場合でも、弁体の回動とスライドとによって比較的小さな力で離れることになり、検査側係合状態から係合解除状態への切換え操作を楽に行うことができる。
【００１１】
請求項３に記載の発明によれば、前記切替弁が前記熱媒通流状態に対応する位置にあるときに、前記操作部を前記スライド方向に沿う軸心周りに回動操作することによって、前記被係止部が、前記係止部に係合して前記熱媒通流状態にある切替弁の前記検査状態側へのスライドが阻止される通流側係合状態と、前記切替弁の前記検査状態側へのスライドが許容される係合解除状態とに切換え自在に構成されている。
【００１２】
したがって、上述した検査側係合状態への切換え操作に加えて、通流側係合状態への切換え操作も操作部を回動するだけの簡単な操作で行うことができ、かつ、切替弁を確実に熱媒通流状態に保持することができる。
【００１３】
請求項４に記載の発明によれば、前記被係止部または係止部が、前記切替弁が前記熱媒通流状態に対応する位置にあるときの前記操作部の回動操作に伴って、前記切替弁を前記熱媒通流状態側にスライド移動させながら前記通流側係合状態に切換える通流側傾斜案内部を備えて構成されている。
【００１４】
したがって、上述した検査側係合状態から係合解除状態への切換え操作と同様に、通流側係合状態から係合解除状態への切換え操作も、弁体の回動とスライドとによって楽に行うことができる。
【００１５】
請求項５に記載の発明によれば、前記被係止部と前記係止部とのいずれか一方が、突状体で構成され、他方が、前記スライド方向に沿って設けられ、かつ、前記突状体が係入する直線状の溝と、その直線状の溝の両端部に備えられた前記検査側傾斜案内部と前記通流側傾斜案内部とで構成されている。
【００１６】
したがって、ピンなどのような突状体とその突状体が係入する溝などからなる簡単な構造で、上述したような種々の作用効果を期待することができる。
【００１７】
請求項６に記載の発明によれば、前記検査用接続部に、前記供給管から供給される検査用流体の通流を許容するとともにその通流方向とは逆方向の通流を阻止する逆止弁が設けられている。
【００１８】
したがって、気密検査完了後において、検査用流体を供給する供給管を検査用接続部から取り外しても、端末器側の熱媒通流管内などに充満していた検査用流体が、検査用接続部から外部に漏れ出す虞がない。言い換えると、検査用流体として、例えば、水道水などを使用することが可能であり、気密検査のためにコンプレッサなどを準備する必要もなく、しかも、気密検査完了後における水の漏れ出しを防止することができる。
【発明を実施するための最良の形態】
【００１９】
本発明による熱源機用継手の実施の形態を図面に基づいて説明する。
このような熱源機用継手は、一般家庭用の給湯装置を利用した暖房システムなどに付随して使用されるもので、給湯装置そのものは、図１に示すように、フィンチューブ型の給湯用熱交換器１を備える一般用の給湯装置Ａと、フィンチューブ型の追焚用熱交換器２を備える風呂用の追焚装置Ｂと、熱媒加熱手段の一例としてのフィンチューブ型の暖房用熱交換器３を備える暖房用の熱源機Ｃなどによって構成されている。
この給湯装置は、カランやシャワーなどの一般の給湯栓４に湯水を供給し、浴槽５に湯張りを行うとともに、浴槽５の湯水を追焚し、かつ、床暖房装置、浴室暖房装置、食器洗浄機、ファンコンベクタなどの暖房用の端末器Ｄに熱媒としての湯水を循環供給するために使用される。
【００２０】
前記給湯装置Ａは、給湯用熱交換器１に加えて、その熱交換器１の入口側に接続の給水路６と出口側に接続の給湯路７、ならびに、給湯用熱交換器１を加熱するガスバーナ８などで構成され、給水路６を家庭用の水道管に、給湯路７を給湯管９に接続することにより、水道管からの水を加熱して、加熱後の湯水を給湯管９に設けた給湯栓４から吐出するように構成されている。
前記給水路６には、水フィルタ６ａ、アキュームレータ６ｂ、給水サーミスタ６ｃ、水量センサ６ｄ、熱交換器１を迂回して給水路６からの水を給湯路７に供給するバイパス路６ｅなどが設けられ、給湯路７には、給湯サーミスタ７ａ、熱交換器１からの湯水とバイパス路６ｅからの水との混合比を調整するミキシングバルブ７ｂ、ミキシングサーミスタ７ｃ、水比例バルブ７ｄ、割り込み水量センサ７ｅ、過圧防止装置７ｆなどが設けられている。
【００２１】
前記追焚装置Ｂは、追焚用熱交換器２に加えて、その熱交換器２の入口側に接続の風呂戻り路１０と出口側に接続の風呂往き路１１、風呂戻り路１０と給湯路７とを連通する湯張り路１２、追焚用熱交換器２を加熱する前記ガスバーナ８などで構成されている。
風呂戻り路１０には、継手１３を介して浴槽５のアダプタ５ａから延びる浴槽側戻り路５ｂが接続され、風呂往き路１１には、継手１４を介して浴槽５のアダプタ５ａから延びる浴槽側往き路５ｃが接続され、浴槽５に湯張りしたり、浴槽５の湯水を追焚するように構成されている。
そのため、風呂戻り路１０には、この風呂戻り路１０に作用する圧力に基づいて浴槽５内の水位を検出する水位センサ１０ａ、戻りサーミスタ１０ｂ、二方弁１０ｃ、エア置換用電磁弁１０ｄ、追焚用循環ポンプ１０ｅ、水流スイッチ１０ｆが設けられ、風呂往き路１１には、往きサーミスタ１１ａが、また、湯張り路１２には湯張り電磁弁１２ａが設けられている。
【００２２】
暖房用の熱源機Ｃは、暖房用熱交換器３に加えて、この熱交換器３の出口側に接続の高温往き路１５および補給水タンクＴの入口側に接続の熱媒戻り路１６などで構成される高温側熱媒通路ＨＲ、補給水タンクＴの出口側と熱交換器３の入口側とを連通する熱媒通路１７から分岐の低温往き路１８および前記熱媒戻り路１６などで構成される低温側熱媒通路ＬＲ、熱交換器３を加熱するガスバーナ１９などで構成されている。
高温往き路１５の一端側に設けられた高温側熱媒通路ＨＲの吐出口１５ａには、熱源機用継手としての高温用供給ヘッダＨＤ１が接続可能に構成され、熱媒戻り路１６の一端側に設けられた高温側熱媒通路ＨＲの戻り口１６ａには、熱源機用継手としての戻りヘッダＨＤ２が接続可能に構成されていて、高温用供給ヘッダＨＤ１と暖房用の高温型の端末器Ｄとを複数の往き側熱媒通流管２０を介して接続し、かつ、端末器Ｄと戻りヘッダＨＤ２とを複数の戻り側熱媒通流管２１を介して接続することにより、熱媒としての高温湯水を高温型の端末器Ｄに循環供給するように構成されている。
【００２３】
同様に、低温往き路１８の一端側に設けられた低温側熱媒通路ＬＲの吐出口１８ａには、熱源機用継手としての低温用供給ヘッダＨＤ３が接続可能に構成されていて、この低温用供給ヘッダＨＤ３と図外の低温型の端末器とを往き側熱媒通流管で、その低温型の端末器と戻りヘッダＨＤ２とを戻り側熱媒通流管で接続することによって、熱媒としての低温湯水を低温型の端末器に循環供給するように構成されている。
【００２４】
すなわち、前記熱媒通路１７に設けられた熱媒用循環ポンプ２２を駆動することによって、高温往き路１５に設けられた高温サーミスタ１５ｂ、低温往き路１８に設けられた低温サーミスタ１８ｂ、熱媒戻り路１６に設けられた戻りサーミスタ１６ｂなどの検出結果に基づく湯水流動の管理の基で、給水路６からタンク給水路２３を介して補給水タンクＴに供給された水が、暖房用熱交換器３で加熱されて、高温往き路１５、高温用供給ヘッダＨＤ１、往き側熱媒通流管２０を介して高温型の端末器Ｄに供給され、また、暖房用熱交換器３を迂回して、低温往き路１８や低温用供給ヘッダＨＤ３を介して図外の低温型の端末器に供給されるように構成され、高温型の端末器Ｄと低温型の端末器からの湯水が、戻りヘッダＨＤ２や熱媒戻り路１６を介して補給水タンクＴに戻されるように構成されている。
【００２５】
なお、前記タンク給水路２３には、補給水バルブ２３ａと補給水電磁弁２３ｂとが設けられ、補給水タンクＴには、水位の上限を検出する上限センサ２４ａと下限を検出する下限センサ２４ｂとが設けられ、かつ、オーバフロー路２４ｃが接続されている。
また、給湯用熱交換器１と追焚用熱交換器２とを加熱するガスバーナ８および暖房用熱交換器３を加熱するガスバーナ１９に燃焼ガスを供給するガス供給路２５には、元ガス電磁弁２５ａ、給湯用のガス比例弁２５ｂ、ガス電磁弁２５ｃ、ガス切替電磁弁２５ｄ、暖房用のガス電磁弁２５ｅ、暖房用のガス比例弁２５ｆなどが設けられている。
【００２６】
つぎに、高温用供給ヘッダＨＤ１と戻りヘッダＨＤ２、ならびに、これらヘッダＨＤ１，ＨＤ２に取り付けられるジョイントについて説明するが、高温用供給ヘッダＨＤ１とそのジョイント、ならびに、戻りヘッダＨＤ２とそのジョイントとは、熱媒の通流方向が逆向きになる以外は全く同じ構造に構成されているので、重複説明を避けるため、高温用供給ヘッダＨＤ１についてのみ説明し、戻りヘッダＨＤ２については説明を省略する。
【００２７】
高温用供給ヘッダＨＤ１は、図２および図３に示すように、直線筒状の熱媒通流用継手本体３１、直線筒状の弁スライド用継手本体３２、ならびに、端部にＯリングを備えた円筒状の熱源機側接続部としての熱源側挿入部３３などを備えて全体がＴ字状に構成され、そのＴ字状のヘッダ全体が、合成樹脂製の一体成形品で形成されている。
前記熱媒通流用継手本体３１には、その周方向での位相を同じにして、かつ、その筒の長手方向に沿って並んだ状態で、２本の分岐管３４と、その分岐管３４と構造の異なる１本の分岐管３６、ならびに、１本の検査用管３８とが、合成樹脂により一体的に形成され、各分岐管３４，３６には、上述した往き側熱媒通流管２０が接続される端末側接続部としての端末側開口部３５，３７が設けられ、検査用管３８には、後述する検査用流体を供給するための供給管が接続される検査用接続部としての検査用開口部３９が設けられている。
【００２８】
前記検査用管３８は、弁スライド用継手本体３２に近接する位置に配設され、その検査用管３８に隣接する分岐管３６の外周部、つまり、往き側熱媒通流管２０に対して内嵌状態に挿入される挿入部には、挿入部先端側ほど小径となる管抜け止め用の複数の段部３６ａが、挿入部の挿入方向に並べて設けられ、他の２本の分岐管３４には、上述のような段部は設けられていない。
そして、段部３６ａを備えた分岐管３６には、径の大きな熱媒通流管２０が外嵌されて接続され、他の２本の分岐管３４に設けられた端末側開口部３５には、合成樹脂製の直線型ジョイント４０を介して径の小さな熱媒通流管２０が接続され、かつ、熱媒通流用継手本体３１の端部開口部４１には、Ｏリングを備えた密閉用プラグ４２が挿入されて閉鎖されている。
【００２９】
前記検査用管３８に設けられた検査用開口部３９の奥には、図６に拡大して示すように、先端に通流孔４３ａを備えたゴムなどの弾性体で構成された逆止弁４３が収納されて抜け止め具４４により取り付けられ、検査用開口部３９に対しては、図１において一点鎖線で示すように、風呂往き路１１に設けられた継手１４の水抜き部１４ａに接続の供給管４５が接続可能に構成されている。
その供給管４５は、図７に示すように、一端部に前記水抜き部１４ａに接続する水抜き側アダプタ４５ａを、他端部に検査用開口部３９に内嵌状態で接続するための差し込み挿入部４５ｂを備え、この供給管４５を介して風呂往き路１１と検査用開口部３９とを接続することによって、検査用流体としての水を風呂往き路１１から高温用供給ヘッダＨＤ１に供給できるように構成されている。
【００３０】
すなわち、風呂往き路１１から検査用流体としての水が供給されると、図６の（イ）に示す状態にあった逆止弁４３が、図６の（ロ）に示すように、その水圧によって弾性的に膨張し、その膨張に伴って通流孔４３ａが拡径して、検査用開口部３９から高温用供給ヘッダＨＤ１内へのみ水の通流を許容し、供給ヘッダＨＤ１内から検査用開口部３９への水の通流を阻止するように構成されている。
【００３１】
前記熱源側挿入部３３の弁スライド用継手本体３２側の端部には、弁座３３ａが設けられ、その弁座３３ａに接当可能な弁体４６ａとによって切替弁４６が構成されるとともに、弁体４６ａには、中空の操作筒４６ｂとその操作筒４６ｂの端部に設けられた操作部４６ｃとが連設され、全体が耐熱性の合成樹脂によって一体的に形成されて、弁スライド用継手本体３２の軸心Ｌに沿ってスライド移動自在で、かつ、そのスライド方向に沿う軸心、つまり、軸心Ｌ周りに回動自在に取り付けられ、弁体４６ａには密閉用のＯリング４７が、また、操作筒４６ｂにも密閉用のＯリング４８が取り付けられている。
【００３２】
前記操作筒４６ｂには、図５に展開して示すように、被係止部として作用するＺ形の案内溝４９が、１８０度位置を異ならせた状態で互いに対向するように設けられ、その対向する案内溝４９に対して係止部として作用する突状体の一例であるスプリングピン５０が、図４に示すように、対向する案内溝４９を貫通する状態で弁スライド用継手本体３２に取り付けられている。
前記案内溝４９は、前記軸心Ｌに沿う直線状の溝４９ａと、その直線状の溝４９ａの下端に連通する検査側傾斜案内部として作用する下方傾斜溝４９ｂ、ならびに、下方傾斜溝４９ｂに連通する下方係止溝４９ｃとを備え、かつ、直線状の溝４９ａの上端に連通する通流側傾斜案内部として作用する上方傾斜溝４９ｄ、ならびに、上方傾斜溝４９ｄに連通する上方係止溝４９ｅも備えて構成されている。
【００３３】
そして、操作部４６ｃを下方にスライド操作することによって、図２に示すように、弁体４６ａが弁座３３ａから離れるとともに、直線状の溝４９ａの上端にスプリングピン５０が位置して、切替弁４６が熱媒通流状態に対応する状態となる。その後、操作部４６ｃを右方向に回動操作することによって、前記上方傾斜溝４９ｄの作用で、切替弁４６が熱媒通流状態側に若干スライドされて、上方係止溝４９ｅ内にスプリングピン５０が位置し、切替弁４６の検査状態側へのスライドが阻止されて通流側係合状態となる。
つまり、切替弁４６の弁体４６ａが熱源側挿入部３３の弁座３３ａから離れて、熱源側挿入部３３と各端末側開口部３５，３７とが連通接続され、高温往き路１５からの高温湯水が各端末側開口部３５，３７と熱媒通流管２０を介して各端末器Ｄに供給される熱媒通流状態に切換え操作される。
【００３４】
熱媒通流状態にある切替弁４６を検査状態に切換え操作するには、操作部４６ｃを左方向に回動操作して、上述した通流側係合状態を解除し、操作部４６ｃを上方にスライド操作する。すると、図３に示すように、直線状の溝４９ａの下端にスプリングピン５０が位置して、切替弁４６が検査状態に対応する状態となる。その後、操作部４６ｃを左方向に回動操作することによって、前記下方傾斜溝４９ｂの作用で、切替弁４６が検査状態側に若干スライドされて、下方係止溝４９ｃ内にスプリングピン５０が位置し、切替弁４６の熱媒通流状態側へのスライドが阻止されて検査側係合状態となる。
つまり、切替弁４６の弁体４６ａが前記弁座３３ａに接当して、熱源側挿入部３３と各端末側開口部３５，３７との連通が遮断されて、供給管４５から検査用開口部３９へ供給される検査用流体としての水が、逆止弁４３、各端末側開口部３５，３７、熱媒通流管２０を介して各端末器Ｄに供給される検査状態に切換え操作される。
【００３５】
なお、この図３では、上述した切替弁４６の検査状態に対応する状態と、検査状態とを同時に示すため、直線状の溝４９ａの下端にスプリングピン５０が位置しているにもかかわらず、切替弁４６の弁体４６ａが弁座３３ａに接当しているが、実際には、直線状の溝４９ａの下端にスプリングピン５０が位置している状態では、弁体４６ａが弁座３３ａから少し離れた位置に位置することになる。
【００３６】
以上の構成から暖房システムにおいては、高温往き路１５の吐出口１５ａに高温用供給ヘッダＨＤ１の熱源側挿入部３３を内嵌して接続し、その供給ヘッダＨＤ１の分岐管３６に大径の往き側熱媒通流管２０を外嵌し、他の分岐管３４の端末側開口部３５に直線型ジョイント４０を介して小径の往き側熱媒通流管２０を接続するとともに、必要に応じて、前記吐出口１５ａと熱源側挿入部３３との間、分岐管３４と直線型ジョイント４０との間などに金属材料からなるファスナＦを外嵌する。
そして、説明は省略したが、熱媒戻り路１６の戻り口１６ａに戻りヘッダＨＤ２の熱源側挿入部３３を内嵌して接続し、その戻りヘッダＨＤ２の分岐管３６に大径の戻り側熱媒通流管２１を外嵌し、他の分岐管３４の端末側開口部３５に直線型ジョイント４０を介して小径の戻り側熱媒通流管２１を接続し、必要に応じて、ファスナＦも外嵌する。
【００３７】
それによって、高温往き路１５からの高温湯水が、高温用供給ヘッダＨＤ１によって複数に分流され、往き側通流管２０を介して各高温型の端末器Ｄに供給されるとともに、各端末器Ｄからの湯水が、戻り側通流管２１を介して戻りヘッダＨＤ２に供給され、戻りヘッダＨＤ２により合流されて、熱媒戻り路１６を介して補給水タンクＴに戻されるように構成されている。
【００３８】
なお、説明は省略したが、低温型の端末器側においても同様で、低温往き路１８の吐出口１８ａに低温用供給ヘッダＨＤ３を接続し、その供給ヘッダＨＤ３の端末側開口部に往き側熱媒通流管を接続するとともに、低温型の端末器と戻りヘッダＨＤ２の端末側開口部とを戻り側熱媒通流管を接続することにより、低温往き路１８からの低温湯水が、低温用供給ヘッダＨＤ３から低温型の端末器に供給され、低温型の端末器からの湯水が、戻りヘッダＨＤ２と熱媒戻り路１６を介して補給水タンクＴに戻されるように構成されている。
なお、その場合、戻りヘッダＨＤ２においては、熱媒通流用継手本体３１の端部開口部４１に挿入した密閉用プラグ４２を外し、図  に示すＬ側ジョイント５１を取り付けることにより、戻り側熱媒通流管を接続することができる。
【００３９】
この暖房システムにおいて、高温型の端末器Ｄを設置した後などに、その端末器Ｄ側の気密検査を行うには、図１に示すように、浴槽５のアダプタ５ａの湯水給排出口を閉じる安全弁付きの栓部材５ｄを取り付けるとともに、高温用供給ヘッダＨＤ１と戻りヘッダＨＤ２のうちのいずれか一方、この実施形態では供給ヘッダＨＤ１の検査用開口部３９に供給管４５を接続して、検査用開口部３９を風呂往き路１１の水抜き部１４ａに連通接続させる。
そして、高温用供給ヘッダＨＤ１の切替弁４６も、戻りヘッダＨＤ２の切替弁４６も、共に前記熱媒通流状態に切換えて、栓部材５ｄの安全弁を開にするとともに湯張り電磁弁１２ａを開き、湯張り路１２から追焚系統および供給管４５に水を供給して追焚系統および供給管４５に水を充満させるとともに空気抜きを行う。
【００４０】
つぎに、栓部材５ｄの安全弁を閉じ、タンク給水路２３を開いて熱媒用循環ポンプ２２を駆動し、熱源機Ｃの高温側熱媒通路ＨＲと端末器Ｄに対する熱媒通流管２０，２１とに水を供給し、補給水タンクＴの下限センサ２４ｂが検出状態になってから設定時間が経過すると給水を停止し、端末器Ｄに対する熱媒通流管２０，２１に水を充満させるとともに熱媒通流管２０，２１の空気抜きを行う。つまり、熱媒通流管２０，２１の内部空気を高温側熱媒通路ＨＲを通して補給水タンクＴから流出させる。
これらの空気抜きが完了すると、高温用供給ヘッダＨＤ１の切替弁４６も、戻りヘッダＨＤ２の切替弁４６も、共に前記検査状態に切換えて、風呂往き路１１からの水を供給管４５によって高温用供給ヘッダＨＤ１に供給し、この給水によって端末器Ｄに対する熱媒通流管２０，２１内の水圧が、風呂戻り路１０が備えている水位センサ１０ａにより設定圧になるまで加圧する。
【００４１】
そして、設定圧にまで加圧した後、加圧操作を停止して、風呂戻り路１０の水位センサ１０ａにより、圧力低下の有無を検出したり、圧力低下の速度を検出して、著しい圧力低下や、急速度の圧力低下がなければ端末器Ｄにおける熱媒通流管２０，２１が良好な気密状態にあると判断する。
この気密検査を完了すると、供給管４５を高温用供給ヘッダＨＤ１から取り外し、必要に応じて、図２において仮想線で示すように、密閉用プラグなどで閉鎖して、高温用供給ヘッダＨＤ１の切替弁４６も、戻りヘッダＨＤ２の切替弁４６も、共に前記熱媒通流状態に切り換えるのである。
【００４２】
なお、低温型の端末器側における気密検査については、低温用供給ヘッダＨＤ３と戻りヘッダＨＤ２のうちのいずれか一方の検査用開口部に前記供給管４５を接続し、その他は、高温型の端末器Ｄ側における気密検査と同様に行う。
また、高温型の端末器Ｄと低温型の端末器とが共に接続されている場合には、供給管４５を戻りヘッダＨＤ２の検査用開口部３９に接続して、高温型の端末器Ｄ側と低温型の端末器側との気密検査を同時に行うこともできる。
【００４３】
〔別実施形態〕
（１）先の実施形態では、切替弁４６の操作筒４６ｂに被係止部としての案内溝４９を設け、弁スライド用継手本体３２側に係止部としてのスプリングピン５０を取り付けた例を示したが、案内溝４９とスプリングピン５０とを逆にすることもできる。
つまり、弁スライド用継手本体３２側に案内溝を設けて、その案内溝を係止部として機能させ、操作筒４６ｂに被係止部としての突状体を突設して前記案内溝に係合させて実施することもできる。
また、いずれの場合においても、案内溝としては、先の実施形態のように、突状体の貫通する孔である必要はなく、例えば、突状体が係入する有底の溝でもよく、被係止部と係止部との具体的な構成については、種々の変更が可能である。
【００４４】
（２）先の実施形態では、直線状の溝４９ａの下端に連通する状態で検査側傾斜案内部として作用する下方傾斜溝４９ｂを設けた例を示したが、この下方傾斜溝４９ｂを無くして、直線状の溝４９ａの下端に下方係止溝４９ｃを直接連通させることもできる。
同様に、通流側傾斜案内部として作用する上方傾斜溝４９ｄを無くして、直線状の溝４９ａの上端に上方係止溝４９ｅを直接連通させることもでき、また、上方係止溝４９ｅを無くして実施することもできる。
つまり、切替弁４６を熱媒通流状態に保持するについては、例えば、スプリングを使用して切替弁４６の弁体４６ａを熱媒通流状態側に弾性付勢したり、別に設けた保持具を利用して熱媒通流状態に保持するなど、種々の具体的構成を採用することができる。
【００４５】
（３）先の実施形態では、検査用開口部３９に設ける逆止弁として、通流孔４３ａを備えた弾性体からなる逆止弁４３を示したが、例えば、ボールを用いた逆止弁やスプリングの付勢力を利用した逆止弁など、種々の構造の逆止弁を用いて実施することができる。
【００４６】
（４）先の実施形態では、暖房用の熱源機Ｃに加えて、一般用の給湯装置Ａや風呂用の追焚装置Ｂなどを備えた給湯装置に暖房用の端末器Ｄを接続したシステムを示したが、暖房用の熱源機Ｃのみを備えた装置に接続して実施することもできる。その場合には、各ヘッダＨＤ１，ＨＤ２，ＨＤ３の検査用開口部３９に水道からの供給管を接続するとともに、その供給管などに圧力センサを装着して気密検査を行うことになる。
また、暖房用の熱源機Ｃについては、電気式や石油式の熱源機に置き換えて実施することもできる。
【図面の簡単な説明】
【００４７】
【図１】暖房システム全体の概略図
【図２】ヘッダの一部切欠き断面図
【図３】ヘッダの一部切欠き断面図
【図４】切替弁の要部の断面図
【図５】切替弁の要部の展開図
【図６】逆止弁の断面図
【図７】検査用流体の供給管の説明図
【符号の説明】
【００４８】
３                      熱媒加熱手段
１５ａ，１８ａ          吐出口
１６ａ                  戻り口
２０，２１              熱媒通流管
３２                    継手本体
３３                    熱源機側接続部
３５，３７              端末側接続部
３９                    検査用接続部
４３                    逆止弁
４５                    検査用流体の供給管
４６                    切替弁
４６ｃ                  操作部
４９                    被係止部
４９ａ                  直線状の溝
４９ｂ                  検査側傾斜案内部
４９ｄ                  通流側傾斜案内部
５０                    係止部としての突状体
Ｃ                      熱源機
Ｄ                      端末器
ＨＤ１，ＨＤ２，ＨＤ３  熱源機用継手
ＨＲ，ＨＬ              熱媒通路
Ｌ                      スライド方向に沿う軸心
【図１】
2008008615.tif 000003
【図２】
2008008615.tif 000004
【図３】
2008008615.tif 000005
【図４】
2008008615.tif 000006
【図５】
2008008615.tif 000007
【図６】
2008008615.tif 000008
【図７】
2008008615.tif 000009
【手続補正書】
【提出日】平成19年9月6日(2007.9.6)
【手続補正１】
【補正対象書類名】明細書
【補正対象項目名】０００４
【補正方法】削除
【補正の内容】
【手続補正２】
【補正対象書類名】明細書
【補正対象項目名】０００５
【補正方法】変更
【補正の内容】
【０００５】
本発明の目的は、気密検査完了後における水の漏れ出しを防止することができる熱源機用継手の提供にある。
【手続補正３】
【補正対象書類名】明細書
【補正対象項目名】０００６
【補正方法】変更
【補正の内容】
【０００６】
この目的を達成するため、請求項１に記載の発明によれば、端末器に循環供給する熱媒の戻り口から熱媒加熱手段を経由して熱媒の吐出口に至る熱媒通路を備えた熱源機における前記戻り口又は吐出口に接続される熱源機用継手であって、前記戻り口又は前記吐出口に接続する熱源機側接続部、端末器側の熱媒通流管が接続される端末側接続部、および、検査用流体の供給管が接続される検査用接続部が互いに連通するように設けられ、前記熱源機側接続部と前記端末側接続部との連通を遮断する検査状態と、その遮断を解除して前記熱源機側接続部と前記端末側接続部とを連通させる熱媒通流状態とにスライドにより切換え操作自在な切替弁が設けられ、前記検査用接続部に、前記供給管から供給される検査用流体の通流を許容するとともにその通流方向とは逆方向の通流を阻止する逆止弁が設けられている。
【手続補正４】
【補正対象書類名】明細書
【補正対象項目名】０００８
【補正方法】変更
【補正の内容】
【０００８】
また、気密検査完了後において、検査用流体を供給する供給管を検査用接続部から取り外しても、端末器側の熱媒通流管内などに充満していた検査用流体が、検査用接続部から外部に漏れ出す虞がない。言い換えると、検査用流体として、例えば、水道水などを使用することが可能であり、気密検査のためにコンプレッサなどを準備する必要もなく、しかも、気密検査完了後における水の漏れ出しを防止することができる。
【手続補正５】
【補正対象書類名】明細書
【補正対象項目名】０００９
【補正方法】変更
【補正の内容】
【０００９】
請求項２に記載の発明によれば、前記切替弁が前記検査状態に対応する位置にあるときに、前記切替弁の操作部を前記スライド方向に沿う軸心周りに回動操作することによって、前記切替弁側に設けられた被係止部が、継手本体側に設けられた係止部に係合して前記検査状態にある切替弁の前記熱媒通流状態側へのスライドが阻止される検査側係合状態と、前記切替弁の前記熱媒通流状態側へのスライドが許容される係合解除状態とに切換え自在に構成されている。
【手続補正６】
【補正対象書類名】明細書
【補正対象項目名】００１０
【補正方法】変更
【補正の内容】
【００１０】
すなわち、前記切替弁は、その操作部をスライド操作することによって熱媒通流状態と検査状態とに切換えられるので、上述した従来構造のものと比較して、切替弁の切換え操作を簡単に行うことができ、かつ、検査状態への切換えについては、前記操作部をスライド方向に沿う軸心周りに回動操作することにより、切替弁側に設けられた被係止部が、継手本体側に設けられた係止部に係合して検査状態にある切替弁の熱媒通流状態側へのスライドが阻止される検査側係合状態に切換えられるので、操作部を回動するだけの簡単な操作で前記切替弁を確実に検査状態に保持することができ、切替弁の切換え操作を短時間で確実に行うことができる。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】